(57)【要約】【課題】一枚又は複数枚の写真や原稿上の、所望の領域のみを集約して一覧にする。【解決手段】画像メモリＭＥＭ，ＨＤＤ；液晶タッチパネル３２８；画像メモリの指定された画像をパネル３２８に表示する表示制御手段２０，１，ＩＭＡＣ；画像を表現するための２次元座標系上の位置（ｘ，ｙ）を指定する位置入力手段３２８；パネル３２８に表示された画面の、位置入力手段の指定位置によって規定される領域の画像に識別指標を与えて集成フォルダに保持する領域画像摘出手段２０，１，ＩＭＡＣ；集成フォルダに保持する各識別指標の各画像を、同一の２次元座標系上に配置する画像集成手段２０，１，ＩＭＡＣ；および、該配置をした場合の画像全体のサイズを算出して、該画像全体をプリントアウトするための用紙サイズを算出する手段１；を備える画像処理装置。さらにプリンタ１００および原稿スキャナ１０を備える画像形成装置。【選択図】  図７
2004207819.tif 000002
【特許請求の範囲】
【請求項１】
画像メモリ手段；
画像表示手段；
前記画像メモリ手段の指定された画像を前記画像表示手段に表示する表示制御手段；
画像を表現するための２次元座標系上の位置を指定する位置入力手段；
前記画像表示手段に表示された画面の、前記位置入力手段の指定位置によって規定される領域の画像に識別指標を与えて集成情報メモリに保持する領域画像摘出手段；
前記集成情報メモリに保持する各識別指標の各画像を、同一の２次元座標系上に配置する画像集成手段；および、
該画像集成手段が該配置をした場合の画像全体のサイズを算出して、該画像全体をプリントアウトするための用紙サイズを算出する手段；
を備える画像処理装置。
【請求項２】
前記位置入力手段によって指定された領域の内側と外側のいずれの画像を摘出するかを指定する手段；を更に備え、前記領域画像摘出手段は、指定された側の画像に識別指標を与えて集成情報メモリに保持する；請求項１に記載の画像処理装置。
【請求項３】
前記画像集成手段は、前記集成情報メモリに保持する各識別指標の各画像を、同一の２次元座標系上の、位置入力手段の各指定位置に配置する；請求項１又は請求項２に記載の画像処理装置。
【請求項４】
前記画像集成手段は、指定に応じて各画像の回転を、また、指定に応じて各画像の変倍を行う；請求項３に記載の画像処理装置。
【請求項５】
請求項１乃至４のいずれかに記載の画像処理装置；および、該画像処理装置の前記画像集成手段が同一の２次元座標系上に配置した画像を、前記用紙サイズにプリントアウトする作像手段；を備える画像形成装置。
【請求項６】
前記作像手段は、複数の用紙サイズを選択可能であり；前記画像処理装置の用紙サイズ算出手段は、画像集成手段が同一の２次元座標系上に配置した場合の画像全体のサイズを満たす最小の用紙サイズを算出し、該画像全体のサイズを満たす用紙サイズが選択不可のときは、選択可の用紙サイズに入るまで前記画像全体を縮小する；請求項５に記載の画像形成装置。
【発明の詳細な説明】
【０００１】
【発明の属する技術分野】
本発明は、複数の画像群の各画像の指定部分の集合を、１枚の用紙上に印刷するに適した配列に集成する画像処理装置に関し、例えば、複写機，プリンタおよびファクシミリに用いることができ、パソコンにも用いることができる。
【０００２】
【従来技術】
複写機，プリンタおよびファクシミリのいずれにおいても、それに画像処理装置および画像メモリを備えるか、或いはパソコンを接続して、スキャナ，デジタルカメラ等の撮像装置が読み取った画像，パソコンが保持する文章やイメージ（何れも以下においては「画像」との表現に含まれる、とする），ファクシミリ受信した画像等をプリントアウトする高機能化が進んでおり、大量の画像を蓄積して、必要に応じて、編集，プリントアウトする蓄積機能を備える画像形成装置あるいは画像処理システムもしくは文書管理システムが増えている。また、パソコンに画像を蓄積して必要に応じてパソコンからプリンタに出力してプリントアウトすることが行われている。
【０００３】
蓄積画像はひとつずつディスプレイに読み出して視認することができるが、多くの画像を一括して１画面上に表示又は１枚の用紙にプリントアウトすることが望まれる場合がある。これを満たすものとして、サムネイル表示，集約コピー，画像合成等が知られている。
【０００４】
【特許文献１】特開平５−３５３９号公報は、合成モードが指定されると、予め画像メモリに書き込んだ画像と、原稿スキャナで読み取る画像の、各指定領域の画像を、一方の画像に他方の画像をはめ込む形で合成してプリントアウトする複写機を提示している。
【０００５】
【特許文献２】特開平９−２９１７９４号公報は、原稿上の、摘出しようとする領域の左余白に黒ラインを引き、原稿画像読取時に該黒ラインを検出して、黒ライン長分の画像領域の画像データのみを摘出してその画像のみをコピーする複写機を提示している。
【０００６】
【特許文献３】特開平１１−３０８４３５号公報は、予め画像メモリに書き込んだ画像と、原稿スキャナで読み取る画像の、各指定領域の画像を、一方の画像に他方の画像をはめ込む形で合成するにおいて、予め画像メモリに画像を書き込むときに原稿画像サイズと倍率も保存し、合成の際には、合成対象の２画像のサイズを一致させる画像形成装置を提示している。
【０００７】
【特許文献４】特開２０００−９２３０７号公報は、予め入力された、プリントアウトした場合の用紙の折りあるいは枠に基いて、折線又は枠で区分される領域内に画像を納めるように、出力する画像の倍率や配置を設定する画像処理装置を提示している。
【０００８】
【発明が解決しようとする課題】
ところが、一枚又は複数枚の写真や原稿上の、所望の領域のみを摘出して一枚の用紙上に集約して、一覧にしてプリントアウトしたい場合がある。従来のサムネイル表示や集約コピーは、多くの写真や原稿の画面全体を縮小して一画面に配列するので、縮小画像上の各写真や原稿の中の一部分（所要部：要点部）のみを、一見又は一読で正確に把握するには適さない。拡大鏡を用いて入念に要点部を入念に見取るとか、要点部と思しき箇所を拡大コピーするとかの手間がかかる場合がある。
【０００９】
本発明は、一枚又は複数枚の写真や原稿上の、所望の領域のみを集約して一覧にするに便利な画像処理装置およびそれを用いる画像形成装置を提供することを目的とする。
【００１０】
【課題を解決するための手段】
（１）画像メモリ手段(MEM,HDD)；
画像表示手段(328)；
前記画像メモリ手段(MEM,HDD)の指定された画像を前記画像表示手段(328)に表示する表示制御手段(20,1,IMAC,)；
画像を表現するための２次元座標系上の位置(x,y)を指定する位置入力手段(328)；
前記画像表示手段(328)に表示された画面の、該位置入力手段(328)の指定位置によって規定される領域の画像に識別指標を与えて集成情報メモリ(集成フォルダ)に保持する領域画像摘出手段(1,20,IMAC)；
前記集成情報メモリに保持する各識別指標の各画像を、同一の２次元座標系上に配置する画像集成手段(1,20,IMAC)；および、
該画像集成手段が該配置をした場合の画像全体のサイズを算出して、該画像全体をプリントアウトするための用紙サイズを算出する手段(1)；
を備える画像処理装置。
【００１１】
なお、理解を容易にするためにカッコ内には、図面に示し後述する実施例の対応要素または対応事項の記号もしくは相当事項を、例示として参考までに付記した。以下も同様である。
【００１２】
これによればユーザは、写真又は原稿を画像表示手段(328)に表示して位置入力手段(328)を用いて所要部のみの領域を指定して、領域画像摘出手段(1,20,IMAC)によって、該領域の画像に識別指標を与えて該識別指標を集成情報メモリ(集成フォルダ)に登録することができる。そして、識別指標を与えた摘出画像を、画像集成手段(1,20,IMAC)を用いて、同一の２次元座標系上すなわち一画面上に配置することができる。この２次元座標系すなわち1画面は、実際の表示面やプリントアウト可能サイズにとらわれない仮想のものである。用紙サイズ算出手段(1)が、該画像集成手段(1,20,IMAC)が該配置をした場合の画像全体のサイズを算出して、該画像全体をプリントアウトするための用紙サイズを算出する。
【００１３】
識別指標を与えた摘出画像を配置する前記２次元座標系すなわち画面は、実際の表示面やプリントアウト用紙面にとらわれない仮想のものである。算出した用紙サイズが、プリンタにある用紙サイズ又はプリンタにあるロール紙から切出すことができる用紙サイズであれば、プリンタで前記画像全体をプリントアウトできる。
【００１４】
全体画像は、写真又は原稿の所要部のみを集約して一覧にしたものであるので、多くの写真あるいは原稿の所要部のみを、一見又は一読で正確に把握するに適する。
【００１５】
【発明の実施の形態】
（２）前記位置入力手段(328)によって指定された領域の内側と外側のいずれの画像を摘出するかを指定する手段(319,320)；を更に備え、領域画像摘出手段(1,20,IMAC)は、指定された側の画像に識別指標を与えて集成情報メモリ(集成フォルダ)に保持する；上記（１）に記載の画像処理装置。これによれば、写真又は原稿の１領域を前記位置入力手段(328)によって指定し、前記指定手段(319,320)で該領域内の画像の摘出と該領域外の画像の摘出の一方を選択できる。所要画像の摘出操作が簡単になる。
【００１６】
（３）前記画像集成手段(1,20,IMAC)は、前記集成情報メモリに保持する各識別指標の各画像を、同一の２次元座標系上の、位置入力手段(328)の各指定位置に配置する；上記（１）又は（２）に記載の画像処理装置。これによれば、各識別指標の各画像の摘出順に無関係に、２次元座標系上の所望位置に各画像を配置することができ、ユーザが意図する配列順あるいは分布を容易に実現できる。
【００１７】
（４）前記画像集成手段(1,20,IMAC)は、指定に応じて各画像の回転を、指定に応じて各画像の変倍を行う；上記（３）に記載の画像処理装置。写真又は原稿の画面の姿勢（例えばＡ４縦／Ａ４横）とその上の画像の姿勢（例えば縦向／横向）とが、集成する複数の写真又は原稿によって異なることがあり得るし、画像の倍率（例えば文字サイズ）が異なることがあり得るが、このような場合でも、本実施態様によれば、ユーザは画像集成手段(1,IMAC)を用いて容易に各画像の姿勢や倍率を均一に整えることができる。また逆に、メリハリや評価順位を表すために各画像を個別に姿勢を変えるとか、倍率を買えることができる。
【００１８】
（５）上記（１）乃至（４）のいずれかに記載の画像処理装置；および、該画像処理装置の前記画像集成手段(1,20,IMAC)が同一の２次元座標系上に配置した画像を、前記用紙サイズにプリントアウトする作像手段(100)；を備える画像形成装置
これによればユーザは、写真又は原稿の所要部のみを一覧に集約してプリントアウトできる。多くの写真あるいは原稿の所要部のみを、一枚の用紙上で一見又は一読で正確に把握することができる。
【００１９】
（６）前記作像手段(100)は、複数の用紙サイズを選択可能であり；前記画像処理装置の用紙サイズ算出手段(1)は、画像集成手段(1,20,IMAC)が同一の２次元座標系上に配置した場合の画像全体のサイズを満たす最小の用紙サイズを算出し、該画像全体のサイズを満たす用紙サイズが選択不可のときには、選択可の用紙サイズに入るまで前記画像全体を縮小する；上記（５）に記載の画像形成装置。
【００２０】
画像全体のサイズを満たす用紙がプリンタに準備がない場合、あるいは、プリンタが画像全体のサイズを満たすサイズを切出すことができるロール紙を装備しない場合、ユーザは、１又は数画像の位置変更，回転および又は変倍、もしくは削除によって、プリンタでプリントアウトできるサイズに画像全体のサイズを調整することができる。しかしこの作業は、複雑になる場合があるし、画像全体のバランスを崩してしまうことにもなる。本実施態様では、画像全体を縮小するので、ユーザに手間をかけることは無く、また、画像全体のバランスが崩れない。
【００２１】
（７）更に、原稿画像を読み取る原稿スキャナ(10)；および、該原稿スキャナ(10)読み取った画像データを前記画像メモリ手段(MEM,HDD)に書込む手段(CDIC,IMAC)；を備える上記（５）又は（６）に記載の画像形成装置。
【００２２】
これによれば、原稿スキャナ(10)を用いて、手元にある写真や原稿の画像を任意に読みとって画像メモリ手段に書きこんで、上述の画像集成とプリントアウトを行って、一覧用紙を作成することができる。各画像の要点を一見又は一読で正確に把握できる一覧コピーを得ることができる。
【００２３】
本発明の他の目的および特徴は、図面を参照した以下の実施例の説明より明らかになろう。
【００２４】
【実施例】
図１に、本発明の一実施例の複合機能フルカラーデジタル複写機の外観を示す。このフルカラー複写機は、大略で、自動原稿送り装置（ＡＤＦ）３０と、操作ボード２０と、カラースキャナ１０と、カラープリンタ１００と、給紙バンク３５の各ユニットで構成されている。ステープラ及び作像された用紙を積載可能なトレイ付きのフィニッシャ３４と、両面ドライブユニット３３と、大容量給紙トレイ３６は、プリンタ１００に装着されている。
【００２５】
機内の画像データ処理装置ＡＣＰ（図３）には、パソコンＰＣが接続したＬＡＮ（Local Area Network）が接続されており、ファクシミリコントロールユニットＦＣＵ（図３）には、電話回線ＰＮ（ファクシミリ通信回線）に接続された交換器ＰＢＸが接続されている。カラープリンタ１００のプリント済の用紙は、排紙トレイ１０８上またはフィニッシャ３４に排出される。
【００２６】
図２に、カラープリンタ１００の機構を示す。この実施例のカラープリンタ１００は、レーザプリンタである。このレーザプリンタ１００は、マゼンダ（Ｍ），シアン（Ｃ），イエロー（Ｙ）および黒（ブラック：Ｋ）の各色の画像を形成するための４組のトナー像形成ユニットが、転写紙の移動方向（図中の右下から左上方向ｙ）に沿ってこの順に配置されている。即ち、４連ドラム方式のフルカラー画像形成装置である。
【００２７】
これらマゼンダ（Ｍ），シアン（Ｃ），イエロー（Ｙ）および黒（Ｋ）のトナー像形成ユニットは、それぞれ、感光体ドラム１１１Ｍ，１１１Ｃ，１１１Ｙおよび１１１Ｋを有する感光体ユニット１１０Ｍ，１１０Ｃ，１１０Ｙおよび１１０Ｋと、現像ユニット１２０Ｍ，１２０Ｃ，１２０Ｙおよび１２０Ｋとを備えている。また、各トナー像形成部の配置は、各感光体ユニット内の感光体ドラム１１１Ｍ，１１１Ｃ，１１１Ｙおよび１１１Ｋの回転軸が水平ｘ軸（主走査方向）に平行になるように、且つ、転写紙移動方向ｙ（副走査方向）に所定ピッチの配列となるように、設定されている。
【００２８】
また、レーザプリンタ１００は、上記トナ−像形成ユニットのほか、レーザ走査によるレーザ露光ユニット１０２、給紙カセット１０３，１０４、レジストローラ対１０５、転写紙を担持して各トナ−像形成部の転写位置を通過するように搬送する転写搬送ベルト１６０を有する転写ベルトユニット１０６、ベルト定着方式の定着ユニット１０７、排紙トレイ１０８，両面ドライブ（面反転）ユニット３３等を備えている。また、レーザプリンタ１００は、図示していない手差しトレイ、トナ−補給容器、廃トナーボトル、なども備えている。
【００２９】
レーザ露光ユニット１０２は、レーザ発光器４１Ｍ，４１Ｃ，４１Ｙ，４１Ｋ、ポリゴンミラー、ｆ−θレンズ、反射ミラー等を備え、画像データに基づいて各感光体ドラム１１１Ｍ，１１１Ｃ，１１１Ｙおよび１１１Ｋの表面にレーザ光を、ｘ方向に振り走査しながら照射する。
【００３０】
図２上の一点鎖線は、転写紙の搬送経路を示している。給紙カセット１０３，１０４から給送された転写紙は、図示しない搬送ガイドで案内されながら搬送ローラで搬送され、レジストローラ対１０５に送られる。このレジストローラ対１０５により所定のタイミングで転写搬送ベルト１６０に送出された転写紙は転写搬送ベルト１６０で担持され、各トナ−像形成部の転写位置を通過するように搬送される。
【００３１】
各トナー像形成部の感光体ドラム１１１Ｍ，１１１Ｃ，１１１Ｙおよび１１１Ｋに形成されたトナー像が、転写搬送ベルト１６０で担持され搬送される転写紙に転写され、各色トナー像の重ね合わせ即ちカラー画像が形成された転写紙は、定着ユニット１０７に送られる。すなわち転写は、転写紙上にじかにトナー像を転写する直接転写方式である。定着ユニット１０７を通過する時トナー像が転写紙に定着する。トナー像が定着した転写紙は、排紙トレイ１０８，フィニッシャ３６又は両面ドライブユニット３３に排出又は送給される。
【００３２】
イエローＹのトナ−像形成ユニットの概要を次に説明する。他のトナ−像形成ユニットも、イエローＹのものと同様な構成である。イエローＹのトナー像形成ユニットは、前述のように感光体ユニット１１０Ｙ及び現像ユニット１２０Ｙを備えている。感光体ユニット１１０Ｙは、感光体ドラム１１１Ｙのほか、感光体ドラム表面に潤滑剤を塗布するブラシローラ，感光体ドラム表面をクリーニングする揺動可能なブレード，感光体ドラム表面に光を照射する除電ランプ，感光体ドラム表面を一様帯電する非接触型の帯電ローラ、等を備えている。
【００３３】
感光体ユニット１１０Ｙにおいて、交流電圧が印加された帯電ローラにより一様帯電された感光体ドラム１１１Ｙの表面に、レーザ露光ユニット１０２で、プリントデータに基づいて変調されポリゴンミラーで偏向されたレーザ光Ｌが走査されながら照射されると、感光体ドラム１１１Ｙの表面に静電潜像が形成される。感光体ドラム１１ＩＹ上の静電潜像は、現像ユニット２０Ｙで現像されてイエローＹのトナー像となる。転写搬送ベルト１６０上の転写紙が通過する転写位置では、感光体ドラム１１ＩＹ上のトナー像が転写紙に転写される。トナ−像が転写された後の感光体ドラム１１１Ｙの表面は、ブラシローラで所定量の潤滑剤が塗布された後、ブレードでクリーニングされ、除電ランプから照射された光によって除電され、次の静電潜像の形成に備えられる。
【００３４】
現像ユニット１２０Ｙは、磁性キャリア及びマイナス帯電のトナ−を含む二成分現像剤を収納している。そして、現像ケース１２０Ｙの感光体ドラム側の開口から一部露出するように配設された現像ローラや、搬送スクリュウ、ドクタブレード、トナ−濃度センサ，粉体ポンプ等を備えている。現像ケース内に収容された現像剤は、搬送スクリュウで攪拌搬送されることにより摩擦帯電する。そして、現像剤の一部が現像ローラの表面に担持される。ドクタブレードが現像ローラの表面の現像剤の層厚を均一に規制し、現像ローラの表面の現像剤中のトナーが感光体ドラムに移り、これにより静電潜像に対応するトナー像が感光体ドラム１１１Ｙ上に現われる。現像ケース内の現像剤のトナー濃度はトナ−濃度センサで検知される。濃度不足の時には、粉体ポンプが駆動されてトナーが補給される。
【００３５】
転写ベルトユニット１０６の転写搬送ベルト１６０は、各トナ−像形成部の感光体ドラム１１１Ｍ，１１１Ｃ，１１１Ｙおよび１１１Ｋに接触対向する各転写位置を通過するように、４つの接地された張架ローラに掛け回されている。張架ローラの１つが１０９である。これらの張架ローラのうち、２点鎖線矢印で示す転写紙移動方向上流側の入口ローラには、電源から所定電圧が印加された静電吸着ローラが対向するように配置されている。これらの２つのローラの間を通過した転写紙は、転写搬送ベルト１６０上に静電吸着される。また、転写紙移動方向下流側の出口ローラは、転写搬送ベルトを摩擦駆動する駆動ローラであり、図示しない駆動源に接続されている。また、転写搬送ベルト１６０の外周面には、電源から所定のクリーニング用電圧が印加されたバイアスローラが接触するように配置されている。このバイアスローラにより転写搬送ベルト１６０上に付着したトナ−等の異物が除去される。
【００３６】
また、感光体ドラム１１１Ｍ，１１１Ｃ，１１１Ｙおよび１１１Ｋに接触対向する接触対向部を形成している転写搬送ベルト１６０の裏面に接触するように、転写バイアス印加部材を設けている。これらの転写バイアス印加部材は、マイラ製の固定ブラシであり、各転写バイアス電源から転写バイアスが印加される。この転写バイアス印加部材で印加された転写バイアスにより、転写搬送ベルト１６０に転写電荷が付与され、各転写位置において転写搬送ベルト１６０と感光体ドラム表面との間に所定強度の転写電界が形成される。
【００３７】
転写搬送ベルト１６０で搬送され、感光体ドラム１１１Ｍ，１１１Ｃ，１１１Ｙおよび１１１Ｋに形成された各色トナー像が転写された用紙は、定着装置１０７に送り込まれてそこで、トナー像が加熱，加圧によって用紙に熱定着される。熱定着後、用紙は左側板の上部のフィニッシャ３４への排紙口３４ｏｔからフィニッシャ３４に送り込まれる。又は、プリンタ本体の上面の排紙トレイ１０８に排出される。
【００３８】
４個の感光体ドラムの中の、マゼンダ像，シアン像およびイエロー像形成用の感光体ドラム１１１Ｍ，１１１Ｃおよび１１１Ｙは、図示しないカラードラム駆動用の１個の電気モータ（カラードラムモータ；カラードラムＭ：図示略）により、動力伝達系及び減速機（図示略）を介して１段減速にて駆動される。ブラック像形成用の感光体ドラム１１１Ｋはブラックドラム駆動用の１個の電気モータ（Ｋドラムモータ：図示略）により、動力伝達系及び減速機（図示略）を介して１段減速にて駆動される。また、転写搬送ベルト１６０は、上記Ｋドラムモータによる動力伝達系を介した転写駆動ローラの駆動により、回動移動する。従って、上記Ｋドラムモータは、Ｋ感光体ドラム１１Ｋと転写搬送ベルト６０を駆動し、上記カラードラムモータは、Ｍ，Ｃ，Ｙ感光体ドラム１１Ｍ，１１Ｃ，１１Ｙを駆動する。
【００３９】
また、Ｋ現像器１２０Ｋは、定着ユニット１０７を駆動している電気モータ（図示略）で、動力伝達系およびクラッチ（図示略）を介して駆動される。Ｍ，Ｃ，Ｙ現像器１２０Ｍ，１２０Ｃ，１２０Ｙは、レジストローラ１０５を駆動する電気モータ（図示略）で、動力伝達系およびクラッチ（図示略）を介して駆動される。現像器１２０Ｍ，１２０Ｃ，１２０Ｙ，１２０Ｋは絶えず駆動されている訳ではなく、所定タイミングを持って駆動出来る様、上記クラッチにより駆動伝達を受ける。
【００４０】
再度図１を参照する。フィニッシャ３４は、スタッカトレイすなわち積載降下トレイ３４ｈｓおよびソートトレイ群３４ｓｔを持ち、積載降下トレイ３４ｈｓに用紙（プリント済紙，転写済紙）を排出するスタッカ排紙モードと、ソートトレイ群３４ｓｔに排紙するソータ排紙モードを持つ。
【００４１】
プリンタ１００からフィニッシャ３４に送り込まれた用紙は、左上方向に搬送されそして上下逆Ｕ字型の搬送路を経て、下向きに搬送方向を切換えてから、設定されているモードに応じて、スタッカ排紙モードのときには排出口から積載降下トレイ３４ｈｓに排出される。ソータ排紙モードのときには、ソータトレイ群３４ｓｔの、そのとき排出中の用紙が割り当てられたソータトレイに排出される。
【００４２】
ソータ排紙モードが指定されるとフィニッシャ内排紙コントローラは、最下部の重ね待避位置に置いたソートトレイ群３４ｓｔを、図１上で２点鎖線で示す使用位置に上駆動し、ソータトレイ間の間隔を広げる。ソータ排紙モードでは、１回（一人）の設定枚数の複写又はプリントは、部ソートにソータ排紙モードが設定されているときには、同一原稿（画像）をプリントした各転写紙をソートトレイ群３４ｓｔの各トレイに仕分け収納する。頁ソートにソータ排紙モードが設定されているときには、各トレイを各頁（画像）に割り当てて、同一頁をプリントした各転写紙を１つのソートトレイに積載する。
【００４３】
図３に、図１に示す複写機の画像処理系統のシステム構成を示す。このシステムでは、読取ユニット１１と画像データ出力Ｉ／Ｆ(Interface：インターフェイス）１２でなるカラー原稿スキャナ１２が、画像データ処理装置ＡＣＰの画像データインターフェース制御ＣＤＩＣ（以下単にＣＤＩＣと表記）に接続されている。画像データ処理装置ＡＣＰにはまた、カラープリンタ１００が接続されている。カラープリンタ１００は、画像データ処理装置ＡＣＰの画像データ処理器ＩＰＰ(Image Processing Processor；以下では単にＩＰＰと記述）から、書込みＩ／Ｆ１３４に記録画像データを受けて、作像ユニット１３５でプリントアウトする。作像ユニット１３５は、図２に示すものである。
【００４４】
画像データ処理装置ＡＣＰ（以下では単にＡＣＰと記述）は、パラレルバスＰｂ，画像メモリアクセス制御ＩＭＡＣ（以下では単にＩＭＡＣと記述），画像メモリであるメモリモジュール（以下では単にＭＥＭと記述），不揮発メモリであるハードディスク装置ＨＤＤ（以下では単にＨＤＤと記述），システムコントローラ１，ＲＡＭ４，不揮発メモリ５，フォントＲＯＭ６，ＣＤＩＣ，ＩＰＰ等、を備える。パラレルバスＰｂには、ファクシミリ制御ユニットＦＣＵ（以下単にＦＣＵと記述）を接続している。操作ボード２０はシステムコントローラ１に接続している。
【００４５】
カラー原稿スキャナ１０の、原稿を光学的に読み取る読取ユニット１１は、原稿に対するランプ照射の反射光を、センサボードユニットＳＢＵ（以下では単にＳＢＵと表記）上の、ＣＣＤで光電変換してＲ，Ｇ，Ｂ画像信号を生成し、Ａ／ＤコンバータでＲＧＢ画像データに変換し、そしてシェーディング補正して、出力Ｉ／Ｆ１２を介してＣＤＩＣに送出する。
【００４６】
ＣＤＩＣは、画像データに関し、原稿スキャナ１０（出力Ｉ／Ｆ１２），パラレルバスＰｂ，ＩＰＰ間のデータ転送、ならびに、プロセスコントローラ１３１とＡＣＰの全体制御を司るシステムコントローラ１との間の通信をおこなう。また、ＲＡＭ１３２はプロセスコントローラ１３１のワークエリアとして使用され、ＲＯＭ１３３はプロセスコントローラ１３１の動作プログラム等を記憶している。
【００４７】
画像メモリアクセス制御ＩＭＡＣ（以下では単にＩＭＡＣと記述）は、ＭＥＭおよびＨＤＤに対する画像データおよび制御データの書き込み／読み出しを制御する。システムコントローラ１は、パラレルバスＰｂに接続される各構成部の動作を制御する。また、ＲＡＭ４はシステムコントローラ１のワークエリアとして使用され、不揮発メモリ５はシステムコントローラ１の動作プログラム等を記憶している。
【００４８】
操作ボード２０は、ＡＣＰがおこなうべき処理を指示する。たとえば、処理の種類（複写、ファクシミリ送信、画像読込、プリント等）および処理の枚数等を入力する。これにより、画像データ制御情報の入力をおこなうことができる。
【００４９】
スキャナ１０の読取ユニット１１より読み取った画像データは、スキャナ１０のＳＢＵでシェーディング補正２１０を施してから、ＩＰＰで、スキャナガンマ補正，フィルタ処理などの、読取り歪を補正する画像処理を施してから、ＭＥＭ又はＨＤＤに蓄積する。ＭＥＭ又はＨＤＤの画像データをプリントアウトするときには、ＩＰＰにおいてＲＧＢ信号をＹＭＣＫ信号に色変換し、プリンタガンマ変換，階調変換，および、ディザ処理もしくは誤差拡散処理などの階調処理などの画質処理をおこなう。画質処理後の画像データはＩＰＰから書込みＩ／Ｆ１３４に転送される。書込みＩ／Ｆ１３４は、階調処理された信号に対し、パルス幅とパワー変調によりレーザー制御をおこなう。その後、画像データは作像ユニット１３５へ送られ、作像ユニット１３５が転写紙上に再生画像を形成する。
【００５０】
ＩＭＡＣは、システムコントローラ１の制御に基づいて、画像データとＭＥＭ又はＨＤＤのアクセス制御，ＬＡＮ上に接続した図示しないパソコンＰＣ（以下では単にＰＣと表記）のプリント用データの展開，ＭＥＭおよびＨＤＤの有効活用のための画像データの圧縮／伸張をおこなう。
【００５１】
ＩＭＡＣへ送られた画像データは、データ圧縮後、ＭＥＭ又はＨＤＤに蓄積され、蓄積された画像データは必要に応じて読み出される。読み出された画像データは、伸張され、本来の画像データに戻しＩＭＡＣからパラレルバスＰｂを経由してＣＤＩＣへ戻される。ＣＤＩＣからＩＰＰへの転送後は画質処理をして書込みＩ／Ｆ１３４に出力し、作像ユニット１３５において転写紙上に再生画像を形成する。
【００５２】
画像データの流れにおいて、パラレルバスＰｂおよびＣＤＩＣでのバス制御により、デジタル複合機の機能を実現する。ファクシミリ送信は、読取られた画像データをＩＰＰにて画像処理を実施し、ＣＤＩＣおよびパラレルバスＰｂを経由してＦＣＵへ転送することによりおこなわれる。ＦＣＵは、通信網へのデータ変換をおこない、それを公衆回線ＰＮへファクシミリデータとして送信する。ファクシミリ受信は、公衆回線ＰＮからの回線データをＦＣＵにて画像データへ変換し、パラレルバスＰｂおよびＣＤＩＣを経由してＩＰＰへ転送することによりおこなわれる。この場合、特別な画質処理はおこなわず、書込みＩ／Ｆ１３４から出力し、作像ユニット１３５において転写紙上に再生画像を形成する。
【００５３】
複数ジョブ、たとえば、コピー機能，ファクシミリ送受信機能，プリンタ出力機能が並行に動作する状況において、読取ユニット１１，作像ユニット１３５およびパラレルバスＰｂの使用権のジョブへの割り振りは、システムコントローラ１およびプロセスコントローラ１３１において制御する。プロセスコントローラ１３１は画像データの流れを制御し、システムコントローラ１はシステム全体を制御し、各リソースの起動を管理する。また、デジタル複合機の機能選択は、操作ボード２０においておこなわれ、操作ボード２０の選択入力によって、コピー機能，ファクシミリ機能等の処理内容を設定する。
【００５４】
システムコントローラ１とプロセスコントローラ１３１は、パラレルバスＰｂ，ＣＤＩＣおよびシリアルバスＳｂを介して相互に通信をおこなう。具体的には、ＣＤＩＣ内においてパラレルバスＰｂとシリアルバスＳｂとのデータ，インターフェースのためのデータフォーマット変換をおこなうことにより、システムコントローラ１とプロセスコントローラ１３１間の通信を行う。
【００５５】
各種バスインターフェース、たとえばパラレルバスＩ／Ｆ  ７、シリアルバスＩ／Ｆ  ９、ローカルバスＩ／Ｆ  ３およびネットワークＩ／Ｆ  ８は、ＩＭＡＣに接続されている。コントローラーユニット１は、ＡＣＰ全体の中での独立性を保つために、複数種類のバス経由で関連ユニットと接続する。
【００５６】
システムコントローラ１は、パラレルバスＰｂを介して他の機能ユニットの制御をおこなう。また、パラレルバスＰｂは画像データの転送に供される。システムコントローラ１は、ＩＭＡＣに対して、画像データをＭＥＭに蓄積させるための動作制御指令を発する。この動作制御指令は、ＩＭＡＣ，パラレルバスＩ／Ｆ
７、パラレルバスＰｂを経由して送られる。
【００５７】
この動作制御指令に応答して、画像データはＣＤＩＣからパラレルバスＰｂおよびパラレルバスＩ／Ｆ  ７を介してＩＭＡＣに送られる。そして、画像データはＩＭＡＣの制御によりＭＥＭ又はＨＤＤに格納されることになる。
【００５８】
一方、ＡＣＰのシステムコントローラ１は、ＰＣからのプリンタ機能としての呼び出しの場合、プリンタコントローラとネットワーク制御およびシリアルバス制御として機能する。ネットワーク経由の場合、ＩＭＡＣはネットワークＩ／Ｆ
８を介してプリント出力要求データを受け取る。
【００５９】
汎用的なシリアルバス接続の場合、ＩＭＡＣはシリアルバスＩ／Ｆ  ９経由でプリント出力要求データを受け取る。汎用のシリアルバスＩ／Ｆ  ９は複数種類の規格に対応しており、たとえばＵＳＢ(Universal Serial Bus)、１２８４または１３９４等の規格のインターフェースに対応する。
【００６０】
ＰＣからのプリント出力要求データはシステムコントローラ１により画像データに展開される。その展開先はＭＥＭ内のエリアである。展開に必要なフォントデータは、ローカルバスＩ／Ｆ  ３およびローカルバスＲｂ経由でフォントＲＯＭ６を参照することにより得られる。ローカルバスＲｂは、このコントローラ１を不揮発メモリ５およびＲＡＭ４と接続する。
【００６１】
シリアルバスＳｂに関しては、ＰＣとの接続のための外部シリアルポート２以外に、ＡＣＰの操作部である操作ボード２０との転送のためのインターフェースもある。これはプリント展開データではなく、ＩＭＡＣ経由でシステムコントローラ１と通信し、処理手順の受け付け、システム状態の表示等をおこなう。
【００６２】
システムコントローラ１と、ＭＥＭ，ＨＤＤおよび各種バスとのデータ送受信は、ＩＭＡＣを経由しておこなわれる。ＭＥＭおよびＨＤＤを使用するジョブはＡＣＰ全体の中で一元管理される。
【００６３】
図４に、操作ボード２０の回路ブロックを示す。操作ボード２０には、面表示機能がありしかも入力読み取り機能がある液晶タッチパネル（以下では液晶ディスプレイ又はディスプレイと言うこともある）７９，操作キー・マトリクス２７１，表示ＬＥＤ（発光ダイオード）２７２等がある。キー・マトリクス２７１には、省エネモード（休止モード又は低電力モード）からスタンバイモードに、またその逆への切換えを指示するための電源キーがある。省エネモードが設定されている時に電源キーが一回押されると、省エネモードからスタンバイモードに切換る。スタンバイモードであるときに電源キーが一回押されると、スタンバイモードから省エネモードに切換る。
【００６４】
図４に示す操作ボード２０の電気制御系の主体は、システムコントローラ１のＭＰＵ６１とコミュニケーションし、操作ボード２０の入力を読取り、ボード上の表示を制御するＣＰＵ２５３，このＣＰＵ２５３の制御プログラムが格納されているＲＯＭ２６５，制御時にデータの一時格納等を行うためのＲＡＭ２６６，ＬＣＤ２６０の描画データを格納するＶＲＡＭ２６８，このＶＲＡＭ２６８に接続されＬＣＤ２６０の描画タイミング制御等を行う液晶表示コントローラ（ＬＣＤＣ）２６７，時刻データを発生する時計ＩＣ  ２７３等がある。ＬＣＤＣ２６７には、ＣＦＬの光源をバックライト２７０として有するＬＣＤ２６０が接続される。ＣＰＵ２５３には更に、ＣＦＬバックライト２７０を駆動するインバータ２６９，キー・マトリクス２７１，表示ＬＥＤ２６１のＬＥＤマトリクス２７２およびそれらのＬＥＤを駆動するＬＥＤ駆動装置７３等が接続されている。
【００６５】
また、ＣＰＵ２５３が接続されたデータバスには、画像処理モード，状態情報および使用実績記憶用の不揮発性ＲＡＭ（ＮＶＲＡＭ）２６４が接続されている。
【００６６】
図５に示す様に、操作ボード２０には、液晶タッチパネル７９のほかに、テンキー８０ａ，クリア／ストップキー８０ｂ，スタートキー８０ｃ，初期設定キー８０ｄ，モードクリアキー８０ｅ，テスト印刷キー８０ｆがある。テスト印刷キー８０ｆは、設定されている印刷部数に関わらず１部だけを印刷し、印刷結果を確認するためのキーである。初期設定キー８０ｄを押す事で、機械の初期状態を任意にカスタマイズする事が可能である。機械が収納している用紙サイズを設定したり、コピー機能のリセットキーを押したときに設定される状態を任意に設定可能である。初期設定キ−８０ｄが操作されると、各種初期値を設定するための「初期値設定」機能ならびに「ＩＤ設定」機能，「著作権登録／設定」機能および「使用実績の出力」機能、の選択メニューが表示される。また、一定時間操作が無いときに優先して選択されるアプリケーション等も選択する事、国際エネルギースター計画に従った低電力への移行時間の設定や、オートオフ／スリープモードへの移行する時間を設定する事が可能である。
【００６７】
液晶タッチパネル７９には、各種機能キー及び画像形成装置の状態を示すメッセージなどが表示される。液晶ディスプレイ７９には、「コピー」機能，「スキャナ」機能，「プリント」機能，「ファクシミリ」機能，「蓄積」機能，「編集」機能，「登録」機能およびその他の機能の選択用および実行中を表わす機能選択キー８０ｇが表示される。機能選択キー８０ｇで指定された機能に定まった入出力画面が表示され、例えば「複写」機能が指定されているときには、図５に示すように、機能キー７９ａ，７９ｂならびに部数及び画像形成装置の状態を示すメッセージが表示される。オペレータが液晶タッチパネル７９に表示されたキーにタッチする事で、選択された機能を示すキーが灰色に反転する。また、機能の詳細を指定しなければならない場合（例えばページ印字の種類等）はキーにタッチする事で詳細機能の設定画面が表示される。このように、液晶タッチパネルは、ドット表示器を使用している為、その時の最適な表示をグラフィカルに行う事が可能である。
【００６８】
図７に、システムコントローラ１の画像処理制御の概要を示す。複写機に電源が投入されて、図示しない電源回路から動作電圧が印加されると（ステップ１）、システムコントローラ１は、電源オン応答の初期化処理（ステップ２）を実行して、操作ボード２０の液晶タッチパネル７９には、操作ボード２０のＣＰＵを介して、図５に示すような、デフォルト（標準）に設定された、コピーモードの入力待機画面を表示する（ステップ３）。
【００６９】
なお、以下においては、括弧内にはステップという語を省略して、ステップ番号数字のみを記す。
【００７０】
また、システムコントローラ１は、操作ボード２０への入力の読取りおよび操作ボード２０の表示の切換えは、操作ボード２０のＣＰＵ２５３を介して行うが、以下においては、ＣＰＵ２５３を介して行うとの記述は省略する。
【００７１】
次にシステムコントローラ１は、機能選択キー８０ｇの「スキャナ」機能，「プリント」機能，「ファクシミリ」機能，「予約」機能，「編集」機能および「登録」機能の選択入力を読み取る「メニューキーイン読取」を行い、現在表示中の「コピー」機能とは異なる機能を指定するキーにユーザのタッチがあると、指定があった機能に割り付けられた入力画面を、液晶パネル７９に切換え表示する（３−４〜，３）。
【００７２】
「メニューキーイン読取」で、機能選択キー８０ｇへのタッチが無いと、図５に示す「コピー」機能の入力画面を表示している「コピー」モードでは、「複写モード読取」を行う。すなわち、液晶パネル７９に表示しているコピーモードの機能キー７９ａ，７９ｂならびにテンキー８０ａ，クリア／ストップキー８０ｂ，スタートキー８０ｃ，初期設定キー８０ｄ，モードクリアキー８０ｅ，テスト印刷キー８０ｆへのユーザのタッチ又はキー操作すなわちキーインを読み取り、キーインに応じて操作ボード２０の表示灯（ＬＥＤ）およびパネル７９の点灯／消灯および状態表示を切換え、コピーモードレジスタの、複写印刷条件を指定する複写印刷設定情報（印刷設定情報）を更新する。
【００７３】
スタートキー８０ｃの操作（スタート指示）があると、システムコントローラ１は、複写印刷条件をプロセスコントローラ１３１に与えて、複写を指示する。これに応答してプロセスコントローラ１３１が複写を開始し、システムコントローラ１は、プロセスコントローラ１３１が複写印刷ジョブ終了を報知してくるまで、スタートキー８０ｃの緑色の照明を、指示を受け入れない赤色の照明に切換える。複写印刷ジョブ終了の報知があるとシステムコントローラ１は、スタートキー８０ｃの赤色の照明を、指示を受け入れる緑色の照明に切換える。
【００７４】
「メニューキーイン読取」で、機能選択キー８０ｇの中の「編集」キー８１に、ユーザが指又は入力ペンでタッチすると、システムコントローラ１は、操作ボード２０の液晶ディスプレイ７９に「編集」メニューの入力画面を表示する（４，５）。そして「編集」メニューの「集約編集」モードが選択されると、「集約編集」モードの入力画面を表示する（６，７）。
【００７５】
−「集約編集」モードの編集制御−
図６に、「メニューキーイン読取」で、機能選択キー８０ｇの中の「編集」キー８１に、ユーザが指又は入力ペンでタッチし、さらに「集約編集」モードを選択したときに、操作ボード２０が液晶ディスプレイ７９に表示する「集約編集」用の入力画面を示す。「編集」用の入力画面の初期（デフォルト）画面では、編集メニューの中の選択したモードを表わす選択窓（窓画像）３１８内には、「合成」モードが表示されているが、スクロールボタン（ボタン画像）３１７をクリック（タッチ）することにより、「集約編集」モードの選択（指定）とすることができる。図６は、「集約編集」モードを選択した場合の入力画面を示している。
【００７６】
−「画像の集積」（７）−
「集約編集」モードの初期入力画面は、「画像の集積」（７）のための入力画面であり、図６はこれを示している。ここでユーザは、集積フォルダの名称入力窓３２４に、これから作成しようとする集成画像に割当てるフォルダ名を定めて、それを入力窓３２４に入力する。そして、集成対象画像（以下においては原画像ということもある）の供給元を選択する。供給元のデフォルトはスキャナ１０である。すでにＭＥＭ又はＨＤＤに蓄積している画像を選択する場合には、スクロールボタン３２２をクリックして、供給元選択窓３２３の表示を「ファイル」に切換える。
【００７７】
ユーザが、エンター指示キーである「ＯＫ」ボタン３２５をクリックすると、システムコントローラ１は、供給元の指定が「スキャナ」であると、スキャナ操作入力画面を、画像表示領域３２８にポップアップ表示する。ユーザがスキャナ１０に原稿をセットして、読込スタートを入力すると、システムコントローラ１は、原稿スキャナ１０を読取駆動し、原稿スキャナ１０が発生する画像データをＭＥＭに書込むとともに液晶ディスプレイ７９の画像表示領域３２８に、読取座標系のスケールを重ねて表示する。スケールの単位（正方形ます目の１辺の長さ）は、表示領域３２８の右隣りの設定入力領域の「位置」入力部３２１にあるます目数値入力部位に与えた値となる。表示領域３２８の表示画像は、ｘ方向（横方向）およびｙ方向（縦方向）にスクロールすることができる。
【００７８】
ユーザが表示領域３２８の一点を指先又はタッチペンで触れると、そのｘ，ｙ座標値が「位置」入力部３２１の(1)の行に表示され、もう一点に触れるとそのｘ，ｙ座標値が「位置」入力部３２１の(2)の行に表示されると共に、第１点と第２点を対角点とする矩形を表わす線が表示領域３２８に表示される。矩形線が表示されているときにユーザが更に表示領域３２８の他点にタッチすると、矩形線が消去されて「位置」入力部３２１の(1),(2)行の座標値が消えて、新たに(1)の行に今回タッチがあったｘ，ｙ座標値が表示される。矩形線が表示されているときにユーザが「ＯＫ」ボタン３２５をクリックすると、そのとき表示中の画像の全画像データが、読込番号（識別指標），内側摘出か外側摘出かの内／外指定情報，摘出領域座標(1),(2)および貼付け始点座標を含むヘッダ情報を付して、ＨＤＤの、集成フォルダ名称に割付けたフォルダ領域の、読込番号に割付けたファイル領域に書込む。
【００７９】
ここで、読込番号は、ユーザが集成フォルダ名称を入力窓３２４に入力してから、最初に領域入力指示（上述の対角点指定と「ＯＫ」ボタン３２５をクリック）があった画像を第１番とするものである。内／外指定情報は、領域入力指示があったときに内／外指定窓３２０に選択表示していたものであり、領域入力指示の前にスクロールボタン３１９で選択を変更できる。摘出領域座標(1),(2)は、上述の対角点指定によって「位置」入力部３２１の(1),(2)行に表示された座標値である。貼付け始点座標は、貼付け位置の始点座標値であるが、ここではデータ未設定を表すデータビットが書込まれる。
【００８０】
なお、領域指定は、上述のように画像上の点を指定（タッチ）する代りに、「位置」入力部３２１の(1),(2)行の数値入力箇所をクリックして入力位置を指定し、そしてテンキー８０ａを操作して数値を入力することによっても行うことができる。この場合には、一点の座標値の入力が完了すると画像表示領域３２８に表示している画像上の対応点にカーソルが表示され、二点の座標値の入力が完了したときに、それら二点を対角点とする矩形線が表示される。
【００８１】
スキャナ１０を用いずに、すでにＭＥＭ又はＨＤＤに蓄積している画像を選択する場合には、スクロールボタン３２２をクリックして、供給元選択窓３２３の表示を「ファイル」に切換え、メインタスクバー上の「ファイル(F)」３１５をクリックして、それに応じてポップアップ表示されるメニューリスト上の「開く」をクリックする。そしてＭＥＭ又はＨＤＤを指定する。これによって指定したメモリにある画像ファイルリストが表示されるので、所望のファイルをクリックする。これによって、該ファイルの画像が、表示領域に３２８に表示される。その後の領域指定の処理は、上述の、画像スキャナ１０を用いて画像を読込んだ場合と同様である。
【００８２】
上述の１画像の領域指定を終了すると、システムコントローラ１は、表示領域３２８の表示画像を消去し、代りに次の画像入力を促し、さもなくば集成貼付けへの進行を促す文章「次の画像を入力してください。無ければ貼付けへ進んでください。」を表示する。このとき、「位置」入力部３２１の(1),(2)行の表示座標値も消去する。ユーザは、上述の操作を繰り返して、一枚に集成する画像群の各画像の領域指定を繰り返す。システムコントローラ１は、次々に読込む画像に順番に読込番号（識別指標）を付けて、読込番号，内／外指定情報，摘出領域座標(1),(2)および貼付け始点座標を含むヘッダ情報を付して、ＨＤＤの、集成フォルダ名称に割付けたフォルダ領域の、読込番号に割付けたファイル領域に書込む。
【００８３】
以上が図７に示す「画像の集積」（７）の内容である。
【００８４】
−「画像の貼付け」（８）−
「次の画像を入力してください。無ければ貼付けへ進んでください。」の表示に応答してユーザが、スクロールボタン３１９を操作して選択入力窓３２０に「貼付け」を表示して「ＯＫ」ボタン３２５にタッチすると、システムコントローラ１は、「画像の貼付け」（８）に進み、そのとき入力窓３２４に表示している集成フォルダ（ＨＤＤの1領域に設定した画像情報メモリ領域）に書込がある画像ファイルの名称（読込番号）を、読込番号順にリストにして、画像表示領域３２８にポップアップ表示する。
【００８５】
ユーザが該リスト上の１ファイルをクリック（指定）して、画像表示領域３２８上の一点をクリックすると、あるいは「位置」入力部３２１に、集成書込始点座標を入力して「ＯＫ」ボタン３２５にタッチすると、システムコントローラ１は、画像表示領域３２８に表示している座標系の、該入力により指定された点を始点に、前記指定があったファイル（読込番号）の画像の、内／外指定情報および摘出領域座標(1),(2)で規定される領域の画像を展開して、画像表示領域３２８に表示する。すなわち、内／外指定情報が内指定であると、摘出領域座標(1),(2)で規定される領域の画像を摘出して画像表示領域３２８に表示し、外指定の場合には摘出領域座標(1),(2)で規定される領域の外の画像を摘出して画像表示領域３２８に表示する。このとき画像展開始点の座標値を、該ファイル（読込番号）の画像のヘッダ情報にある貼付け始点座標データ領域に書込む。
【００８６】
ユーザはこの貼付け操作を、窓３２４に表示している集成フォルダにある全画像ファイル（読込番号）に対して実行する。これにより、画像表示領域３２８に表示している１つの座標系上に集成フォルダにある全画像の摘出領域画像が配列されたことになる。画像の表示は、「位置」入力部３２１のます目の数値を変更することによって、変倍できる。ます目の数値を大きくすると、画像表示領域３２８のスケールによって表される升目のサイズは変らないが、ｘ軸，ｙ軸の表示数値が大きい値に変更になり、その分表示画像が縮小して表示される。この縮小操作と、表示画面スクロール操作（ｘ方向およびｙ方向）を用いて、集成画面の全体を表示領域３２８内に表示することができる。集成画像の各部は、「位置」入力部３２１のます目の数値を小さく変更することによって表示画像を拡大し、表示画面スクロール操作によって見たい画像部位を表示領域３２８内に移すことにより、詳細に視認できる。
【００８７】
一旦この貼付けを行った後も、画像表示領域３２８上で、画像上の一点をクリック（指定）してメインタスクバー上の「編集(E)」３１６をクリックすることによって、指定した画像の貼付け位置の変更（移動），画像の回転，変倍および複写を行うことができる。ユーザが位置の変更（移動）を指定して、対象画像にタッチしたまま指またはタッチペンを画像表示領域上で滑らすと、システムコントローラ１は、その移動分対象画像の表示位置をずらし、ずらした位置の画像始点座標値に、対象画像宛てのヘッダ情報の中の貼付け始点座標データを変更する。
【００８８】
ユーザが、画像の回転を指定しかつ回転中心を指定してから、回転角度を入力すると、あるいは回転中心としない角（コーナ）にタッチして回転させるように指またはタッチペンを画像表示領域上で滑らすと、システムコントローラ１は、その回転分対象画像を回転させて表示し、回転角度データをヘッダ情報に加える。
【００８９】
ユーザが変倍を指定すると、システムコントローラ１は、対象画像の矩形領域線と、操作指標を付加表示する。操作指標は矩形領域線の４隅と各辺の中点、合せて８点であり、４隅の操作指標の１つを、対角点に近づく方向あるいは対角点から離れる方向に滑らすことにより、システムコントローラ１は表示画像を、矩形と相似形状で縮小または拡大し、ｘ，ｙ方向（同一）の変倍率を算出して、ヘッダ情報に付加する。４辺の各中点の操作指標の１つを対向辺に近づく方向あるいは離れる方向に滑らすことにより、システムコントローラ１は表示画像を、該方向に縮小または拡大し、この変倍率（ｘ，ｙ方向の、変倍があった方向のみ）を算出して、ヘッダ情報に付加する。
【００９０】
ユーザが複写を指定すると、システムコントローラ１は、対象画像をクリップボードに複写する。ユーザが表示領域３２８の１点を指定して「貼付け」を指定すると、システムコントローラ１は、該１点に画像始点を合せてクリップボードの画像を展開する。すなわち表示する。同時に、この複写画像のヘッダ情報を生成して画像ファイル（最後位の読込番号）を集成フォルダ内に生成する。
【００９１】
以上が、図７に示す「画像の貼付け」（７）の内容である。ユーザが、少なくとも１画像について上述の「画像の貼付け」（７）をした後に、メインタスクバー上の「ファイル(F)」３１５をクリックすると、システムコントローラ１は、ファイルを「開く」，作業状態を保存，集成画像を保存，印刷プレビュー，印刷，プロパティなどの選択項目を含むメニューリストをポップアップ表示する。
【００９２】
−「画像全体のサイズを算出」（９）−
ここでユーザが「印刷プレビュー」又は「印刷」を指定すると、システムコントローラ１は、表示領域３２８に表示中の座標系に展開している貼付け画像群の、各画像（矩形領域）の４隅の座標値を、各画像のヘッダ情報の中の、摘出領域座標(1),(2)，貼付け始点座標，回転角度データおよび変倍データに基いて算出する。そして全貼付け画像群の４隅の座標値群全体の中の、ｘ座標値の最小値Ｘminと最大値Ｘmaxならびにｙ座標値の最小値Ｙminと最大値Ｙmaxを検索して、集成画像の始点位置（Ｘmin，Ｙmin）および終点位置（Ｘmax，Ｙmax）として、これらの始点位置および終点位置を対角点とする矩形領域を、集成画像領域とする。
【００９３】
−「用紙サイズを決定」（１０）−
次にシステムコントローラ１は、プリンタ１００のプロパティから、選択可能な用紙サイズデータを得て、各用紙サイズを横幅（ｘ）および縦長（ｙ）に変換して、上記集成画像領域「（Ｘmin，Ｙmin）−（Ｘmax，Ｙmax）」が収まる最小用紙サイズを検索する。これによって１つの用紙サイズが求まると、表示領域３２８に、例えば、プリントアウトＡ３縦と、プリントアウト用紙サイズを、文字表示するとともに、プリント用紙領域を表わす矩形線を表示する。
【００９４】
集成画像領域が入る用紙サイズがプリンタ１００に無い場合には、システムコントローラ１は、選択可能な最大用紙サイズをプリント用紙サイズに決定して、集成画像領域をそのサイズに入れる変倍率を算出して、表示領域３２８に、例えば、プリントアウトＡ３縦，倍率８７％、とプリントアウト用紙サイズおよび変倍率を、文字表示するとともに、プリント用紙領域を表わす矩形線を表示する。
【００９５】
「印刷プレビュー」からこのプリンアウト用紙サイズに進んだ場合には、システムコントローラ１は、メインタスクバー上の「ファイル(F)」３１５又は「編集」（３１６）がクリックされるのを待つ。すなわち、新たな指示入力があるのを待つ。
【００９６】
−「プリントアウト」（１１）−
「印刷」からこのプリンアウト用紙サイズに進んだ場合には、ここで印刷条件入力画面を表示領域３２８にポップアップ表示し、該入力画面上の「ＯＫ」ボタンがクリックされると、プリンタ１００による前記集成画像のプリントアウトを開始する。
【００９７】
上記「印刷プレビュー」又は印刷の後に、メインタスクバー上の「ファイル(F)」３１５が指定（クリック）され、「作業状態を保存」が指定されると、システムコントローラは、そのとき表示中の集成フォルダにプリントアウト用紙サイズおよび変倍率を登録する。すなわち、現在表示中の情報を、ＨＤＤに更新登録する。
【００９８】
「集成画像を保存」が指定されたときには、システムコントローラ１は、そのとき表示中の集成フォルダの、各画像ファイルの画像情報を、表示領域３２８に表示している座標系上のもの（摘出領域のみ、かつ、回転，変倍があればその処理後のもの）に変更し、各画像のヘッダ情報は、その後の各画像単位での、移動，回転，変倍などの編集ができるように、各画像（矩形領域）の４隅の座標値に変更する。このように変更したフォルダ情報を、新たなフォルダ名称を与えて、ＨＤＤに登録する。この「集成画像を保存」は、上記「印刷プレビュー」，「印刷」の前にも行うことができる。
【００９９】
なお、上記実施例で用いたプリンタ１００は、数種の定型サイズのカット紙を収容しており、収容しているサイズから使用するものを選択できるものである。ロール紙を用いることができるプリンタに本発明を適用する場合には、システムコントローラ１は、ステップ９で画像全体のサイズを算出すると、すなわち上記集成画像領域「（Ｘmin，Ｙmin）−（Ｘmax，Ｙmax）」を算出すると、その横幅（Ｘmax−Ｘmin）を満たす最小幅のロール紙を選択して、そのカットサイズを、集成画像領域の縦長（Ｙmax−Ｙmin）を満たすものに定める。横幅（Ｘmax−Ｘmin）を満たすロール紙が選択できない場合には、選択できる最大幅のロール紙の横幅範囲に集成画像領域の横幅が入る変倍率を算出して、該ロール紙をプリントアウト用紙に定め、該変倍率で縮小した集成画像領域の縦長が入る長さに、カット長を定める。
【０１００】
【発明の効果】
集成画像の全体は、写真又は原稿の所要部のみを集約して一覧にしたものであるので、多くの写真あるいは原稿の所要部のみを、一見又は一読で正確に把握するに適する。
【図面の簡単な説明】
【図１】本発明の一実施例の複合機能がある複写機の外観を示す正面図である。
【図２】図１に示すプリンタ１００の作像機構の概要を示す拡大縦断面図である。
【図３】図１に示す複写機の画像処理システムの概要を示すブロック図である。
【図４】図３に示す操作ボード２０の電気要素を示すブロック図である。
【図５】図３に示す操作ボード２０の操作盤面の一部の拡大平面図である。
【図６】操作ボード２０の液晶ディスプレイ７９に表示した画面の一例を示す拡大平面図である。
【図７】図３に示すシステムコントローラ１の、画像処理制御の概要を示すフローチャートである。
【符号の説明】
１０：カラー原稿スキャナ  ２０：操作ボード
３０：自動原稿供給装置    ３４：フィニッシャ
３４ｈｓ：積載降下トレイ  ３４ｕｄ：昇降台
３４ｓｔ：ソートトレイ群
４１Ｍ，４１Ｃ，４１Ｙ，４１Ｋ：レーザ発光器
７９：液晶タッチパネル
１００：カラープリンタ    ＰＣ：パソコン
ＰＢＸ：交換器            ＰＮ：通信回線
１０２：光書込みユニット  １０３，１０４：給紙カセット
１０５：レジストローラ対  １０６：転写ベルトユニット
１０７：定着ユニット      １０８：排紙トレイ
１１０Ｍ，１１０Ｃ，１１０Ｙ，１１０Ｋ：感光体ユニット
１１１Ｍ，１１１Ｃ，１１１Ｙ，１１１Ｋ：感光体ドラム
１２０Ｍ，１２０Ｃ，１２０Ｙ，１２０Ｋ：現像器
１６０：転写搬送ベルト    ＡＣＰ：画像データ処理装置
ＣＤＩＣ：画像データインターフェース制御
ＩＭＡＣ：画像メモリアクセス制御
ＩＰＰ：画像データ処理器  ＨＤＤ：ハードディスク装置
【図１】
2004207819.tif 000003
【図２】
2004207819.tif 000004
【図３】
2004207819.tif 000005
【図４】
2004207819.tif 000006
【図５】
2004207819.tif 000007
【図６】
2004207819.tif 000008
【図７】
2004207819.tif 000009